(57)【要約】【課題】周囲の作業環境を照明でき、使い勝手に優れた棒材切断機を提供する。【解決手段】ハウジング６の前部に備えた一対の切断刃（固定刃５０及び可動刃５１）によって全ネジボルトを切断する全ネジカッタ１において、ハウジング６に設けられる支持バー５の前端に、ＬＥＤ６８を搭載したライト基板６７及びレンズ６９を有してハウジング６より前方へ光を照射するライト６６が、トリガ２３の前方に設けられている。【選択図】図３
2019202387.tif 000002
【特許請求の範囲】
【請求項１】
ハウジングの前部に備えた一対の切断刃によって棒材を切断する棒材切断機であって、
前記ハウジングより前方へ光を照射する照明手段が設けられていることを特徴とする棒材切断機。
【請求項２】
前記照明手段は、前記ハウジングの前端に設けられていることを特徴とする請求項１に記載の棒材切断機。
【請求項３】
前記切断刃を切断動作させるために操作するトリガを有し、前記照明手段は、前記トリガの前方に設けられていることを特徴とする請求項１又は２に記載の棒材切断機。
【請求項４】
ハウジングの前部に備えた一対の切断刃によって棒材を切断する棒材切断機であって、
前記ハウジングより前方へ光を照射する照明手段と、前記切断刃による切断位置へ光を照射する第２の照明手段とが設けられていることを特徴とする棒材切断機。
【請求項５】
前記照明手段をＯＮ／ＯＦＦさせるスイッチが、前記第２の照明手段をＯＮ／ＯＦＦさせるスイッチと別に設けられていることを特徴とする請求項４に記載の棒材切断機。
【請求項６】
前記照明手段による光の照射範囲を、前後左右を含む３６０°としたことを特徴とする請求項４又は５に記載の棒材切断機。
【発明の詳細な説明】
【技術分野】
【０００１】
本発明は、全ネジボルト等の棒材を切断するための棒材切断機に関する。
【背景技術】
【０００２】
棒材切断機は、特許文献１に例示されるように、例えば固定刃と可動刃とからなる一対の切断刃を備えてハウジングの上面に突出させ、ハウジング内に設けたモータ及びカムを介して切断刃を剪断動作させて全ネジボルト等の棒材を切断可能としている。
特にここでは、切断時の作業性を向上させるために、可動刃の上側を覆う突出部内に、切断位置を照明可能なライトを設けている。
【先行技術文献】
【特許文献】
【０００３】
【特許文献１】特開２００４−１２２３１２号公報
【発明の概要】
【発明が解決しようとする課題】
【０００４】
上記従来の棒材切断機に設けられるライトは、切断位置を照明する機能のみを有し、周囲の空間を照明する機能を持っていないため、作業環境が広い場合に天井や壁等を照明することができず、暗い場所での作業には別途照明が必要となっていた。
【０００５】
そこで、本発明は、周囲の作業環境を照明でき、使い勝手に優れた棒材切断機を提供することを目的としたものである。
【課題を解決するための手段】
【０００６】
上記目的を達成するために、請求項１に記載の発明は、ハウジングの前部に備えた一対の切断刃によって棒材を切断する棒材切断機であって、
ハウジングより前方へ光を照射する照明手段が設けられていることを特徴とする。
請求項２に記載の発明は、請求項１の構成において、照明手段は、ハウジングの前端に設けられていることを特徴とする。
請求項３に記載の発明は、請求項１又は２の構成において、切断刃を切断動作させるために操作するトリガを有し、照明手段は、トリガの前方に設けられていることを特徴とする。
上記目的を達成するために、請求項４に記載の発明は、ハウジングの前部に備えた一対の切断刃によって棒材を切断する棒材切断機であって、
ハウジングより前方へ光を照射する照明手段と、切断刃による切断位置へ光を照射する第２の照明手段とが設けられていることを特徴とする。
請求項５に記載の発明は、請求項４の構成において、照明手段をＯＮ／ＯＦＦさせるスイッチが、第２の照明手段をＯＮ／ＯＦＦさせるスイッチと別に設けられていることを特徴とする。
請求項６に記載の発明は、請求項４又は５の構成において、照明手段による光の照射範囲を、前後左右を含む３６０°としたことを特徴とする。
【発明の効果】
【０００７】
請求項１及び４に記載の発明によれば、ハウジングより前方へ光を照射する照明手段を設けたことで、天井や壁等の周囲の作業環境を簡単に照明でき、使い勝手に優れたものとなる。
特に、請求項４に記載の発明によれば、切断位置を照明する機能と作業環境を照明する機能とを併せて具備できる。
請求項２に記載の発明によれば、請求項１の効果に加えて、照明手段をハウジングの前端に設けたことで、ハウジングが照明手段からの光を遮るおそれがなく、作業環境を広範囲に照明することができる。
請求項３に記載の発明によれば、請求項１又は２の効果に加えて、照明手段をトリガの前方に設けているので、棒材切断機の操作位置と照明手段による照射位置とが前後に並び、光の照射方向を違和感なくコントロールできる。
請求項５に記載の発明によれば、請求項４の効果に加えて、照明手段をＯＮ／ＯＦＦさせるスイッチを、第２の照明手段をＯＮ／ＯＦＦさせるスイッチと別に設けたことで、照明手段のＯＮ／ＯＦＦ操作を切断位置の照明と独立して行うことができる。
請求項６に記載の発明によれば、請求項４又は５の効果に加えて、照明手段による光の照射範囲を、前後左右を含む３６０°としたことで、より広範囲の照明が可能となり、定置ライトとしても使用できる。
【図面の簡単な説明】
【０００８】
【図１】全ネジカッタの斜視図である。
【図２】全ネジカッタの正面図である。
【図３】全ネジカッタの中央縦断面図である。
【図４】前カバーを省略した全ネジカッタの正面図である。
【図５】内側ライトの部分を断面で示す全ネジカッタの正面図である。
【発明を実施するための形態】
【０００９】
以下、本発明の実施の形態を図面に基づいて説明する。
図１は、棒材切断機の一例である全ネジカッタ１の斜視図、図２はその正面図、図３は中央縦断面図である。
この全ネジカッタ１は、前後方向の本体部２と、本体部２から斜め後ろへ下向きに延びるハンドル部３と、ハンドル部３の下端に設けられるバッテリー装着部４とを備える。ハンドル部３の前方で本体部２の前部とバッテリー装着部４の前部との間には、支持バー５が架設されている。全ネジカッタ１のハウジング６は、本体部２とハンドル部３とバッテリー装着部４と支持バー５とを半分ずつ連設した左右一対の半割ハウジング６ａ，６ｂを左右からネジ止めし、本体部２を形成する左右の半割ハウジング６ａ，６ｂの前方から、別体の前カバー７をネジ止めすることで形成される。本体部２の後部左側面には、吊り下げ用のフック８の一端が回転可能に連結されている。このフック８は、本体部２の外面に沿って前方へ引き回されて右側面に設けた係止部９に係止させる収納位置から、係止部９から外して後方へ突出させる使用位置へ回転可能となっている。
【００１０】
本体部２の前部上面には、切断刃としての後述する固定刃５０と可動刃５１とにより、棒材としての全ネジボルトを切断する切断部１０が設けられている。切断部１０の左右には、半割ハウジング６ａ，６ｂと前カバー７とにより、正面視が台形状で上方に突出する右側ガード部１１と、正面視が三角形状で右側ガード部１１よりも低い高さで上方に突出する左側ガード部１２とが形成されて、固定刃５０と可動刃５１とを外側から覆っている。
右側ガード部１１の上部には、六角孔１３が前後方向に貫通形成されて、この六角孔１３に、図１に示すように、全ネジボルトの長さ方向での切断位置を決めるための横断面六角形状の棒状のゲージ１４を遊挿可能となっている。右側ガード部１１の半割ハウジング６ｂ側の右側面には、六角孔１３を貫通させたゲージ１４を外側から押圧して固定するツマミネジ１５がねじ込み可能となっている。このゲージ１４により、前端を壁に当接させて全ネジボルトを定寸切断したり、ゲージ１４上に記された目盛りに合わせて切断したりすることができる。
また、右側ガード部１１内には、図４に示すように、六角孔１３内に外周面の一部が突出する円柱状のラバーピン１６が設けられている。よって、六角孔１３に遊挿されたゲージ１４は、ツマミネジ１５で固定しない状態でもラバーピン１６に押圧されて仮止めされ、不意に六角孔１３から抜け落ちることが防止される。
【００１１】
左側ガード部１２の内部で後寄りには、図５に示すように、切断部１０を照明するための第２の照明手段としての内側ライト１７が設けられている。この内側ライト１７は、光源となるＬＥＤを搭載したＬＥＤ基板１８と、そのＬＥＤ基板１８を覆うレンズ１９とからなり、左側ガード部１２の内部に形成したリブ２０によって、レンズ１９が切断部１０側（右側）を向いた姿勢で保持されている。なお、半割ハウジング６ａにおけるレンズ１９の右側には、レンズ１９からの光を透過させて切断部１０へ照射させるために透明カバー２１が部分的に設けられている。この内側ライト１７により切断部１０を照明することができるため、暗所の作業でも視認性は確保できる。
【００１２】
一方、ハンドル部３内の上側には、トリガ２３を突出させたスイッチ２２が収容され、スイッチ２２の上側には、正逆切替ボタン２４が設けられている。
また、バッテリー装着部４の内部には、回路基板からなるコントローラ２５が収容されて、その下方に設けた端子台２６に、電源となるバッテリーパック２７が前方からスライド装着可能となっている。コントローラ２５の回路基板には、ブラシレスモータ３０の端部に設けられたセンサ回路基板で検知されたロータ３４の回転位置情報に基づいて制御信号を送信する制御回路、この制御回路から受信した制御信号に基づいてブラシレスモータ３０の電流をスイッチングする駆動回路、及びバッテリーパック２７の状態の検出結果に応じて過放電又は過電流状態とならないようにブラシレスモータ３０への電力供給を遮断するオートストップ回路等が搭載されている。
【００１３】
そして、図３に示すように、本体部２には、後方から、ブラシレスモータ３０、減速機構３１、作動機構３２が順番に収容されている。
ブラシレスモータ３０は、ステータ３３と、ステータ３３を貫通するロータ３４とを有し、ロータ３４の中心に設けた回転軸３５を前向きにした姿勢で本体部２内に保持されている。ステータ３３の後側で回転軸３５には、遠心ファン３６が設けられ、本体部２の左右の側面でステータ３３の前側には、吸気口３７，３７・・（図１）が、遠心ファン３６の外側には、排気口３８，３８・・（図１）がそれぞれ形成されている。回転軸３５の前端には、ピニオン３９が固定されている。
【００１４】
減速機構３１は、本体部２内に保持されるギヤハウジング４０内において、遊星歯車４２，４２を保持するキャリア４１，４１・・を軸方向に三段配置してなる遊星歯車式で、一段目のキャリア４１の遊星歯車４２を、回転軸３５のピニオン３９に噛合させている。三段目のキャリア４１の軸心には、出力ギヤ４３が一体に連結されている。出力ギヤ４３は、後端がギヤハウジング４０に、前端が、ギヤハウジング４０に前方から固定される支持板４４に、それぞれ軸受４５，４５を介して支持されている。
【００１５】
作動機構３２は、図４にも示すように、固定刃５０と、可動刃５１と、可動刃５１が固定される揺動体５２と、揺動体５２を支持する揺動軸５３と、揺動体５２及び揺動軸５３に支持されるリターンプレート５４と、可動刃５１を開閉動作させるカム５５とを備えている。
固定刃５０は、切断部１０において、本体部２の上面よりも上側で右側ガード部１１の下部に、半円状の刃部５０ａを内側へ向けた姿勢で固定されている。
可動刃５１は、固定刃５０よりも前側で揺動体５２の上部後面に、半円状の刃部５１ａを内側へ向けて固定されている。
揺動体５２は、出力ギヤ４３の上側でギヤハウジング４０及び支持板４４により前後方向に支持される揺動軸５３によって回転可能に支持され、揺動軸５３の左側で揺動体５２の下端には、カムローラ５６が、連結軸５７を介して回転可能に固定されている。
【００１６】
リターンプレート５４は、揺動体５２の前側に位置して上部が揺動軸５３によって回転可能に支持され、左側が連結軸５７によって揺動体５２と一体に固定されている。また、リターンプレート５４の下部には、半月状のカム孔５８が形成されている。
カム５５は、出力ギヤ４３の下方でギヤハウジング４０及び支持板４４によって前後方向に支持されて回転可能なカムシャフト５９を有し、カムシャフト５９に結合された大径の減速ギヤ６０が、出力ギヤ４３と噛合している。カム５５は、支持板４４の前方でカムシャフト５９の前端に、偏心位置で一体に形成され、周面にカム面６１を有する正面視半月状で、カム面６１の円弧部分寄りの前面には、リターンプレート５４のカム孔５８の内面に当接するガイドピン６２が設けられている。
【００１７】
この作動機構３２において、図４に示すように、可動刃５１が固定刃５０から離れる開状態では、カム５５は右側の回転位置にあってガイドピン６２をカム孔５８の直線部分に当接させることで、リターンプレート５４を介して揺動体５２を開放位置に保持している。ここからカム５５が正面視で正回転（図４で見て左回転）すると、カムローラ５６がカム５５のカム面６１に乗り上がってカム面６１の円弧部分を相対的に転動することで、揺動体５２が揺動軸５３を中心に左回転し、可動刃５１を固定刃５０へ近づける閉動作を行う。そして、カムローラ５６がカム面６１の円弧部分の反対側に達すると、可動刃５１は固定刃５０に前側で重なって刃部５０ａ，５１ａ同士を交差させる。ここからカム５５が回転を続けると、ガイドピン６２がリターンプレート５４のカム孔５８内を摺動してリターンプレート５４を介して揺動体５２を右回転させ、可動刃５１を固定刃５０から離間させる開動作を行わせる。
【００１８】
そして、支持バー５の上部は、図３，４に示すように、本体部２の下面へ繋がる上下方向の折曲部６５を有しており、その折曲部６５の前面に、照明手段としてのライト６６が設けられている。このライト６６は、前カバー７の前面と平行に配置され、前面にＬＥＤ６８を搭載したライト基板６７と、そのライト基板６７を前方から覆うレンズ６９とを備えてなる。このライト６６は、図２及び図５に示すように、前カバー７の下方で支持バー５の左右方向の中央に形成した凹部７０内にレンズ６９の前面を除いて没入するように収容されている。一方、支持バー５の後方でバッテリー装着部４の上面には、コントローラ２５に電気的に接続されるライトスイッチ７１が設けられて、ライトスイッチ７１の押し操作により、ライト６６が単独で点消灯可能となっている。ライト６６の点灯状態では、ＬＥＤ６８の光がレンズ６９で拡散されてハウジング６より前方へ照射される。ライト６６の下方で支持バー５の傾斜部分の右側面には、可動刃５１の着脱等に用いられる六角棒レンチ７３を収容する収容凹部７２（図１）が形成されている。
【００１９】
以上の如く構成された全ネジカッタ１においては、全ネジボルトを切断する場合、全ネジボルトを本体部２の上面で固定刃５０と可動刃５１との間に位置決めし、トリガ２３を押し操作すると、スイッチ２２がＯＮしてブラシレスモータ３０が駆動し、回転軸３５が回転して減速機構３１を介して出力ギヤ４３を回転させる。これにより、減速ギヤ６０を介してカムシャフト５９が回転し、カム５５が正回転することで、前述のように揺動体５２を揺動させて可動刃５１を閉動作させる。よって、固定刃５０との間で全ネジボルトを切断することができる。その後、カム５５が正回転を続けることで可動刃５１は開動作する。なお、本体部２の右側面後方には、突出端を平面とするブロック部７４が形成されており、全ネジカッタ１を右側を下にして平坦面に横置きすれば、本体部２の前端側面とブロック部７４とで横向き姿勢が維持でき、そのまま定置切断できるようになっている。
【００２０】
ここで、内側ライト１７は、スイッチ２２のＯＮと同時に点灯するため、全ネジボルトの切断作業を続けている間は、透明カバー２１を介して照射される内側ライト１７からの光によって切断部１０が視認できる。また、回転軸３５の回転によって遠心ファン３６が回転し、吸気口３７から外気を吸い込んでブラシレスモータ３０を通過させ、排気口３８から排出される。これにより、ブラシレスモータ３０を冷却することができる。
そして、暗い場所で例えば天井から吊り下げられる全ネジボルトの切断作業を行う場合、ライトスイッチ７１を押し操作してライト６６を点灯させれば、ＬＥＤ６８の光が前方へ拡散して照射されるため、作業環境を広範囲に照らすことができる。よって、ライト６６を利用して全ネジボルトの位置や足場の確認等が容易に行える。
【００２１】
このように、上記形態の全ネジカッタ１によれば、ハウジング６より前方へ光を照射する照明手段（ライト６６）が設けられているので、天井や壁等の周囲の作業環境を簡単に照明でき、使い勝手に優れたものとなる。
特にここでは、ライト６６は、ハウジング６の支持バー５の前端に設けられているので、ハウジング６がライト６６からの光を遮るおそれがなく、作業環境を広範囲に照明することができる。
また、ライト６６を、トリガ２３の前方に設けているので、全ネジカッタ１の操作位置とライト６６による照射位置とが前後に並び、光の照射方向を違和感なくコントロールできる。
【００２２】
一方、上記形態の全ネジカッタ１によれば、ハウジング６より前方へ光を照射する照明手段（ライト６６）と、切断部１０へ光を照射する第２の照明手段（内側ライト１７）とが設けられているので、固定刃５０と可動刃５１とによる切断位置を照明する機能と、作業環境を照明する機能とを併せて具備できる。
特にここでは、ライト６６をＯＮ／ＯＦＦさせるライトスイッチ７１を、内側ライト１７をＯＮ／ＯＦＦさせるスイッチ２２と別に設けたことで、ライト６６のＯＮ／ＯＦＦ操作をブラシレスモータ３０の駆動操作と独立させて行うことができる。
【００２３】
なお、照明手段は上記形態に限らず、ライトの位置を変更（例えば支持バーの下部や前カバーの側面及び下面）したり、ライトの数を増やして前後や左右に並べて複数箇所から前方に光を照射させたりしてもよい。ライトの構造も、ＬＥＤ基板に搭載するＬＥＤの数を増やしたり、ＬＥＤ以外の光源を使用したりする等、適宜変更可能である。
【００２４】
また、上記形態では、前方を照射するライトを切断位置を照明する内側ライトと別に設けているが、例えば前カバーの一部又は全部を透明にして内側ライトの光を反射板やミラー等で前方へも照射させる等して、内側ライトを前方への照明手段と兼用することもできる。
各ライトのスイッチも、上記形態のように別々に設けずに、トリガのスイッチで両方ともＯＮ／ＯＦＦできるようにしてもよいし、トリガの操作態様（押し込み回数や押し込み長さ等）で各ライトを個別にＯＮ／ＯＦＦさせるようにしてもよい。逆に各ライトのスイッチをトリガと別にしてバッテリー装着部等に単独で設けることもできる。
【００２５】
さらに、ライトが収容される支持バー等でライトの周囲のハウジングを透明にして、ライトからの光の照射範囲を、前後左右を含む３６０°とすることも可能である。この場合、より広範囲の照明が可能となり、定置ライトとしても使用できる。
【００２６】
その他、モータはブラシレスモータに限らず、整流子モータやアウタロータ型であってもよいし、バッテリーパックを電源とするＤＣ切断機に限らず、電源コードを備えるＡＣ切断機であってもよい。切断対象も全ネジボルトに限らず、鉄筋や針金等の棒材も含まれる。切断刃の構成も、固定刃と可動刃とが左右逆であったり、両刃とも可動刃であったりしてもよい。
【符号の説明】
【００２７】
１・・全ネジカッタ、２・・本体部、３・・ハンドル部、６・・ハウジング、６ａ，６ｂ・・半割ハウジング、７・・前カバー、１０・・切断部、１１・・右側ガード部、１２・・左側ガード部、１７・・内側ライト、２２・・スイッチ、２３・・トリガ、２５・・コントローラ、２７・・バッテリーパック、３０・・ブラシレスモータ、３１・・減速機構、３２・・作動機構、３５・・回転軸、４３・・出力ギヤ、５０・・固定刃、５０ａ・・刃部、５１・・可動刃、５１ａ・・刃部、５２・・揺動体、５３・・揺動軸、５４・・リターンプレート、５５・・カム、５８・・カム孔、６１・・カム面、６５・・折曲部、６６・・ライト、６８・・ＬＥＤ、７１・・ライトスイッチ。
【図１】
2019202387.tif 000003
【図２】
2019202387.tif 000004
【図３】
2019202387.tif 000005
【図４】
2019202387.tif 000006
【図５】
2019202387.tif 000007